(57)【要約】【課題】埃等の異物が内部に堆積しにくいドライヤを提供すること。【解決手段】筺体１内に配置する送風装置６のファン１９が、吸込口から吹出口までの第１の空気の流れを生成する正回転と、吹出口から吸込口までの第２の空気の流れを生成する逆回転との両方で回転できるようにする。【選択図】図２
2013111226.tif 000002
【特許請求の範囲】
【請求項１】
吸込口と、吹出口とを有するハウジングと、
上記ハウジング内に設けられたファンと、
上記ハウジング内に設けられたヒータと、
上記吸込口から上記吹出口までの第１の空気の流れが生成されるように上記ファンの回転方向を制御可能であると共に、上記吹出口から上記吸込口までの第２の空気の流れが生成されるように上記ファンの回転方向を制御可能であるファン回転方向制御部と
を備えることを特徴とするドライヤ。
【請求項２】
請求項１に記載のドライヤにおいて、
上記ハウジング内に設けられると共に、正イオンと負イオンとのうちの少なくとも一方のイオンを上記空気の流れに放出するためのイオン発生器を備えることを特徴とするドライヤ。
【請求項３】
請求項２に記載のドライヤにおいて、
上記イオン発生器は、上記ファンよりも上記第１の空気の流れの下流側に位置していることを特徴とするドライヤ。
【請求項４】
請求項２に記載のドライヤにおいて、
上記イオン発生器は、上記ファンよりも上記第１の空気の流れの上流側に位置していることを特徴とするドライヤ。
【請求項５】
請求項２から４までのいずれか１項に記載のドライヤにおいて、
設置部と、
上記第２の空気の流れが生成されるように上記ファンを駆動し、上記ヒータを停止し、かつ、上記イオン発生器を駆動する空気清浄モードの運転を選択する空気清浄モード選択手段と、
上記空気清浄モード選択手段によって、空気清浄モードが選択されると、上記第２の空気の流れが生成されるように上記ファンを駆動し、上記ヒータを停止し、かつ、上記イオン発生器を駆動する空気清浄制御部と
を備えることを特徴とするドライヤ。
【請求項６】
請求項１から５までのいずれか１項に記載のドライヤにおいて、
上記ファンを、所定時間の間、上記第２の空気の流れが生成されるように駆動した後に停止させる清掃停止モードを選択する清掃停止モード選択手段と、
上記清掃停止モード選択手段によって、上記清掃停止モードが選択されると、上記ファンを、所定時間の間、上記第２の空気の流れが生成されるように駆動した後に停止させるように制御する清掃停止モード制御部と
を備えることを特徴とするドライヤ。
【発明の詳細な説明】
【技術分野】
【０００１】
本発明は、ドライヤに関する。
【背景技術】
【０００２】
従来、ドライヤとしては、特開２００８−３０７２２１号公報（特許文献１）に記載されているものがある。このドライヤは、ハウジングと、フィルタとを備え、フィルタは、ハウジングに着脱可能に固定されるようになっている。このドライヤは、フィルタで、吸込口から取り込まれるゴミや埃を捕捉するようになっており、フィルタを取り外して、フィルタを洗浄することにより、埃やゴミが、ドライヤの内部に堆積することを防止するようになっている。そして、埃やゴミが、ドライヤの内部に堆積することを防止して、ドライヤの故障を抑制するようにしている。
【０００３】
しかしながら、上記従来のドライヤは、ユーザがフィルタを取り外さなければ、ゴミや埃の除去ができず、ドライヤのメンテナンスや清掃に手間と時間を要するという問題がある。
【０００４】
また、通常、埃はプラスに帯電していて、マイナスに帯電したドライヤの内部の部材に電気的に吸着されているから、吸込口から吹出口への規則的な流れでは、ドライヤ本体内に堆積している埃等の異物を、除去しにくいという問題がある。
【先行技術文献】
【特許文献】
【０００５】
【特許文献１】特開２００８−３０７２２１号公報
【発明の概要】
【発明が解決しようとする課題】
【０００６】
そこで、本発明の課題は、埃等の異物が内部に堆積しにくいドライヤを提供することにある。
【課題を解決するための手段】
【０００７】
上記課題を解決するため、この発明のドライヤは、
吸込口と、吹出口とを有するハウジングと、
上記ハウジング内に設けられたファンと、
上記ハウジング内に設けられたヒータと、
上記吸込口から上記吹出口までの第１の空気の流れが生成されるように上記ファンの回転方向を制御可能であると共に、上記吹出口から上記吸込口までの第２の空気の流れが生成されるように上記ファンの回転方向を制御可能であるファン回転方向制御部と
を備えることを特徴としている。
【０００８】
本発明によれば、上記ファンが、通常の空気の流れの逆側の流れである吹出口から吸込口までの第２の空気の流れを生成することが可能であるから、髪の乾燥時等に生成する吸込口から吹出口までの通常の第１の空気の流れの際にハウジング内に堆積した埃等の異物を、上記第２の流れによって効率的に飛散させることができて、その飛散した埃等の異物を、吸込口から外部に排出できる。したがって、ハウジング内の異物を取り除くのに、フィルタを取り外すメンテナンスを行う必要がないか、または、その回数を減らすことができて、埃等の異物を除去する労力および時間を低減することができる。
【０００９】
また、一実施形態では、
上記ハウジング内に設けられると共に、正イオンと負イオンとのうちの少なくとも一方のイオンを上記空気の流れに放出するためのイオン発生器を備える。
【００１０】
上記実施形態によれば、ハウジング内にイオン発生器を備えるから、吐出されるイオンの電荷と反対の電荷を中和することができ、例えば、埃と、ドライヤの内部の部材とが電気的に結合することを抑制できる。
【００１１】
また、一実施形態では、
上記イオン発生器は、上記ファンよりも上記第１の空気の流れの下流側に位置している。
【００１２】
上記実施形態によれば、イオン発生器が、ファンよりも第１の空気の流れの下流側に位置しているので、ファンが通常の回転方向である正方向と反対の逆方向に回転して、第２の空気の流れが生成されている際、イオン発生器で発生させたイオンを、ファンに衝突させることができて、ファンの除電を行うことができる。したがって、静電気に基づいてファンに吸着している埃等の異物を、ファンから容易に引き離すことができて、ファンの清掃を効率的に行うことができる。
【００１３】
また、一実施形態では
上記イオン発生器は、上記ファンよりも上記第１の空気の流れの上流側に位置している。
【００１４】
上記実施形態によれば、イオン発生器が、ファンよりも第１の空気の流れの上流側に位置しているから、第２の空気の流れが生成されている際、イオン発生器から生成されたイオンを、ファンを経ずに吸込口を介して外部に排出することができる。したがって、埃等の異物が溜り易い吸込口付近の清掃を効率的に行うことができる。
【００１５】
また、一実施形態では、
設置部と、
上記第２の空気の流れが生成されるように上記ファンを駆動し、上記ヒータを停止し、かつ、上記イオン発生器を駆動する空気清浄モードの運転を選択する空気清浄モード選択手段と、
上記空気清浄モード選択手段によって、空気清浄モードが選択されると、上記第２の空気の流れが生成されるように上記ファンを駆動し、上記ヒータを停止し、かつ、上記イオン発生器を駆動する空気清浄制御部と
を備えている。
【００１６】
尚、上記設置部は、ドライヤが鏡台や洗面台や棚やテーブル等に設置できるものであれば良く、例えば、ハウジングに設けられた載置のための平面部や凹部等で構成することができ、または、ハウジングを、吸込口を上側に向けた姿勢で保持できるハウジングと別部材のフック等の部品等で構成することができる。
【００１７】
上記実施形態によれば、空気清浄モード選択手段によって空気清浄モードを選択することによって、ファンを通常の方向と逆方向に駆動し、ヒータを非駆動にし、かつ、イオン発生器を駆動できるから、ドライヤを空気清浄機として機能させることができる。
【００１８】
したがって、例えば、ドライヤが、寝室の鏡台の周辺に設置されている場合に、別途、空気清浄機を購入することなく、睡眠時等に、寝室の空気を清浄することができる。また、例えば、ドライヤが、洗面所等の湿気が多い箇所に配置されている場合には、ドライヤを、髪の乾燥に使用しない期間に、空気清浄機として機能させることができて、洗面所が狭い場合であっても、別途、大きな配置スペースが必要な空気清浄機を配置することがなく、洗面所の雑菌やカビの繁殖を抑制することができる。また、ドライヤが、それ以外の場所に配置されている場合でも、ドライヤを、髪の乾燥に使用しない期間に、ドライヤが配置されている場所の空気の清浄のために使用することができる。
【００１９】
また、上記実施形態によれば、ドライヤを、髪の乾燥に使用しない期間に、空気清浄機として機能させることができるから、ドライヤの使用頻度を大きくできて、ドライヤの対費用効果を格段に大きくすることができる。
【００２０】
また、一実施形態では、
上記ファンを、所定時間の間、上記第２の空気の流れが生成されるように駆動した後に停止させる清掃停止モードを選択する清掃停止モード選択手段と、
上記清掃停止モード選択手段によって、上記清掃停止モードが選択されると、上記ファンを、所定時間の間、上記第２の空気の流れが生成されるように駆動した後に停止させるように制御する清掃停止モード制御部と
を備えている。
【００２１】
上記実施形態によれば、清掃停止モードを選択することによって、ファンを停止させる前に、ファンを所定時間、通常の方向と反対の方向に回転させることができる。したがって、簡単にハウジング内の埃等の異物を清掃することができる。
【発明の効果】
【００２２】
本発明によれば、埃等の異物が内部に堆積しにくいドライヤを実現することができる。
【図面の簡単な説明】
【００２３】
【図１】本発明の一実施形態のドライヤのドライヤ本体の斜視図である。
【図２】上記ドライヤ本体の縦断面図である。
【図３】上記制御部と、各部位との入出力の関係を示すブロック図である。
【発明を実施するための形態】
【００２４】
以下、本発明を図示の形態により詳細に説明する。
【００２５】
図１は、本発明の一実施形態のドライヤのドライヤ本体８０の斜視図である。
【００２６】
このドライヤは、ドライヤ本体８０と、設置部としての設置台とを備え、図１に示すように、ドライヤ本体８０は、ハウジングを構成する筺体１と、ハンドル２と、吸気フィルタ３とを有する。上記筺体１は、耐熱性に優れるプラスチックからなっている。上記筺体１は、内部が空洞になっている。上記筺体１は、吹出口１５と、吸込口１６とを有している。上記吸込口１６は、筺体１の延在方向の一端部に位置する一方、吹出口１５は、筺体１の延在方向の他端部に位置している。
【００２７】
上記ハンドル２は、継手構造で筺体１に接続されている。上記ハンドル２は、関節により筺体１に対して折りたたみ可能になっている。上記記ハンドル２は、筺体１に対して折りたたまれた状態で、略筺体１の延在方向と略同一の方向に延在するようになっており、収容され易い構造になっている一方、取手の機能を発揮するときには、筺体１の軸方向に垂直な方向に延在するようになっている。
【００２８】
上記ハンドル２は、一以上のボタンからなる操作部１７を有している。上記操作部１７は、ハンドル２の前方側かつハンドル２の長さ方向の中央部付近に位置している。上記操作部１７は、空気清浄モード選択手段を含み、また、清掃停止モード選択手段を含んでいる。
【００２９】
上記吸気フィルタ３は、筺体１の軸方向の後方側に着脱可能に取り付けられている。上記吸気フィルタ３は、金属又はプラスチック製であり、網目状や格子状に孔が開いている。上記吸気フィルタ３は、埃等大きな異物が入らないように、また、動作中に誤って指がファンに触れないようにする役割を果たしている。
【００３０】
図２は、上記ドライヤ本体８０の縦断面図である。
【００３１】
図２に示すように、このドライヤ本体８０は、ヒータ５と、送風装置６と、イオン発生器７と、制御部８と、ＡＣ／ＤＣコンバータとを備え、ヒータ５、送風装置６、イオン発生器７は、筺体１内に配置されている一方、制御部８は、ハンドル２内に配置されている。
【００３２】
上記送風装置６は、ＤＣ軸流ファン（直流軸流ファン：以下、単にファンという）１９と、ＤＣファンモータ（以下、単にファンモータという）とを備え、ファン１９は、ファンモータによって駆動されるようになっている。
【００３３】
上記ファン１９は、下記に詳述するが、正回転と、正回転とは反対の逆回転とを行うことができ、ファン１９が正回転で回転している際には、筺体１内に、吸込口１６から吹出口１５（図１参照）までの第１の空気の流れが生成される一方、ファン１９が逆回転で回転している際には、筺体１内に、吹出口１５から吸込口１６までの第２の空気の流れが生成されるようになっている。
【００３４】
また、上記制御部８によるファンモータの制御により、ファン１９は、正回転および逆回転のいずれの回転においても、多段出力駆動を可能にする周知の駆動回路により、高出力駆動と、その高出力駆動よりも低出力の低出力駆動とをできるようになっている。
【００３５】
上記ヒータ５は、吸込口１６から吹出口１５までの第１の空気の流れの流路内であって、ファン１９および上記ファンモータよりも上記第１の空気の流れの下流に位置している。上記ヒータ５は、吸込口１６から取り込んだ空気を加熱して温風を生成するようになっている。上記ヒータ５は、ヒータ制御装置で、制御され、ヒータ制御装置は、接点を有している。上記ヒータ制御装置は、制御部８からの信号を受けて、ヒータ５への電力の通遮電を行い、ヒータ５から発せされる熱量を制御するようになっている。
【００３６】
上記イオン発生器７は、特許第３６８０１２１号に記載されている著名のイオン発生器で構成され、プラスとマイナスの著名なＰＣＩ（プラズマクラスターイオン）を放出できるようになっている。上記イオン発生器７は、ファン１９およびファンモータよりも上記第１の空気の流れの上流側で、かつ、ヒータ５よりも上記第１の空気の流れの上流側に位置している。上記イオン発生器７は、上記空気の流れの中に正負のＰＣＩを放出するようになっている。また、上記ＡＣ／ＤＣコンバータは、商用電源（交流）から供給される電圧を、直流電圧に変換するようになっている。
【００３７】
上記制御部８は、ＣＰＵ（中央演算処理装置：Central Processing Unit）からなっている。上記制御部８は、プログラムおよびデータを格納する図示しないメモリにアクセスすることができるようになっている。また、制御部８と、各部とは、Ｉ／Ｆ（インターフェイス：Interface）によって、データを入出力するようになっている。上記制御部８および上記メモリは、ハンドル２（図１参照）内に位置している。
【００３８】
尚、詳述しないが、参照番号１０は、仕切り板である。上記仕切り板１０は、空気の流れを規制して、空気の流れを整流する役割を担っている。
【００３９】
図３は、上記制御部８と、各部位との入出力の関係を示すブロック図である。
【００４０】
図３に示すように、制御部８は、タイマ３０と、ファン回転方向制御部４１と、ファン回転速度制御部４２と、ＰＣＩ駆動制御部４３と、ヒータ制御部４４とを有している。また、上記制御部１１には、ヒータ制御装置１８、ファンモータ３１、操作部１７およびＰＣＩ発生用高周波回路３２が接続されている。上記制御部８は、これらの部位の夫々と、Ｉ／Ｆを介してつながっている。
【００４１】
上記ファン回転方向制御部４１は、スイッチング回路を有し、そのスイッチング回路は、ＡＣ／ＤＣコンバータ接続されて、操作部１７からの信号により、ファンモータ３１中を流れる電流の向きを適宜変化させて、ファンの正回転および逆回転を制御するようになっている。また、上記ファン回転速度制御部４２は、操作部１７からの信号により、ファンが正回転するときのファンモータ３１の回転速度と、ファンが逆回転するときのファンモータ３１の回転速度とを制御するようになっている。
【００４２】
また、上記ＰＣＩ駆動制御部４３は、操作部１７からの信号に基づいて、ＰＣＩ発生用高周波回路３２を制御するようになっており、イオン発生器７の駆動を制御するようになっている。また、上記ヒータ制御部４４は、操作部１７からの信号に基づいて、ヒータ５のヒータ制御装置１８を制御するようになっており、ヒータ５の駆動を制御するようになっている。
【００４３】
ユーザは、操作部１７を操作することによって、上記ファンモータの回転速度を複数段階（例えば、２段階）に調整できるようになっており、適宜風の強さを調整できるようになっている。また、ユーザは、操作部１７を操作することによって、ヒータ５の駆動と停止とを選択できるようになっており、冷風と、熱風とを適宜、選択できるようになっている。また、ユーザは、操作部１７を操作することにより、ファン１９の回転の向きを適宜変えることができるようになっている。
【００４４】
詳しくは、ユーザが、操作部１７によりドライヤモードを選択すると、操作部１７からの信号を受けたファン回転方向制御部４１が、ファンモータ内の電流の向きをファン１９が正回転する向きに制御し、ファン１９が正回転して、吸込口１６から吹出口１５への第１の空気の流れが生成される。
【００４５】
一方、ユーザが、操作部１７により空気清浄モードを選択すると、操作部１７からの信号を受けたファン回転方向制御部４１およびファン回転速度制御部４２が、ファンモータ内の電流の向きをファン１９が逆回転する向きに制御すると同時に、ファン１９を低出力駆動して、吹出口１５から吐吸込口１６への第２の空気の流れが生成されるようになっている。また、これと同時に、ＰＣＩ駆動制御部４３が、ＰＣＩ発生用高周波回路３２を駆動するようになっており、イオン発生器７が駆動されると同時に、ヒータ制御部４４が、ヒータ５の駆動を停止するようになっている。上記ファン回転方向制御部４１と、ファン回転速度制御部４２と、ＰＣＩ駆動制御部４３と、ヒータ制御部４４とで、空気清浄制御部を構成している。尚、この実施形態では、空気清浄モードで、ファン１９が逆回転で低出力駆動されたが、この発明では、空気清浄モードで、ファンが逆回転で高出力駆動されても良い。
【００４６】
また、ユーザが、操作部１７によって、清掃停止モードを選択すると、タイマが、所定の時間（例えば、３０秒、１分、２分、５分等）を計測するまでは、操作部１７からの信号を受けたファン回転方向制御部４１およびファン回転速度制御部４２が、ファンモータ内の電流の向きをファン１９が逆回転する向きに制御すると同時に、ファン１９を高出力駆動して、吹出口１５から吐吸込口１６への第２の空気の流れが生成されるようになっている。また、これと同時に、ＰＣＩ駆動制御部４３が、イオン発生器７を駆動すると共に、ヒータ制御部４４が、ヒータ５の駆動を停止するようになっている。一方、タイマ３０が、所定の時間以上であることを計測すると、ヒータ５の停止に加えて、ファン回転速度制御部４２ＰＣＩ駆動制御部４３が、ファン１９およびイオン発生器７の駆動を停止させるようになっている。上記タイマ３０と、ファン回転方向制御部４１と、ファン回転速度制御部４２と、ＰＣＩ駆動制御部４３と、ヒータ制御部４４とで、清掃停止モード制御部を構成している。
【００４７】
尚、ユーザは、ドライヤモードを選択した際には、合わせて、操作部１７によって、除電熱風モード、除電冷風モード、熱風モードまたは冷風モードを選択できるようになっている。そして、除電熱風モードが選択された場合には、ヒータ５が駆動されると共に、上記ファン１９が高出力駆動され、かつ、イオン発生器７が駆動されるようになっている一方、除電冷風モードが選択された場合には、ヒータ５が停止されると共に、上記ファン１９が高出力駆動され、かつ、イオン発生器７が駆動されるようになっている。また、熱風モードが選択された場合には、ヒータ５が駆動される共に、上記ファン１９が高出力駆動され、かつ、イオン発生器７が停止されるようになっている一方、冷風モードが選択された場合には、ヒータ５が停止されると共に、上記ファン１９が高出力駆動され、かつ、イオン発生器７が停止されるようになっている。
【００４８】
このドライヤは、設置台を備え、この設置台は、筒状の構造を有し、設置台の内周面は、設置台を水平面に載置した状態で、鉛直方向に延在するようになっている。ハンドル２を折り畳んだ状態で、かつ、吹出口１５側を下に向けた、ドライヤ本体８０の側面を、上記設置台の内周面で支えることにより、載置台にドライヤ本体８０を設置できるようになっている。上記載置台の下方側（載置台を水平面に載置した場合の下方側の意味）の側面には、貫通穴が存在している。このようにして、空気清浄モードが選択された際、その貫通穴から吹出口１６へ空気が流れることができるようにしている。
【００４９】
尚、操作部１７を介して、設置台に設置されてから空気清浄機として駆動を継続する設置時間がメモリに記憶されている場合には、その設置時間をタイマ３０で測定して、その入力時間の経過後、ドライヤの空気清浄機能を停止すべく、各部位の駆動を停止させるようになっている。
【００５０】
また、ユーザは、操作部１７を介して、ドライヤを、物体（髪、衣類等）を乾燥させる用途で使用しているときに、後述の設置台に設置した後、自動的に空気清浄モードに変換させる連携モードを選択できるようになっている。また、ユーザは、操作部１７を介して情報を入力することにより、連携モードまたは空気清浄の用途で単独で使用される際に、ドライヤ本体が、設置台に設置されてから空気清浄機として駆動を継続する時間を入力することができるようになっている。
【００５１】
上記実施形態のドライヤによれば、上記ファン１９が、吹出口１５から吸込口１６までの第２の空気の流れを生成することが可能であるから、髪の乾燥時等に発生させる吸込口１６から吹出口１５までの通常の第１の空気の流れとは異なる第２の流れによって、第１の空気の流れの際に筺体１内に堆積した埃等の異物を、効率的に飛散させることができて、その飛散した埃等の異物を、吸込口１６から外部に排出できる。したがって、筺体１内の異物を取り除くのに、フィルタを取り外すメンテナンスを行う必要がないか、または、その回数を減らすことができて、埃等の異物を除去する労力および時間を低減することができる。
【００５２】
また、上記実施形態のドライヤによれば、筺体１内にイオン発生器７を備えるから、吐出されるイオンの電荷と反対の電荷の除電を行うことができ、例えば、埃と、ドライヤの内部の部材とが電気的に結合することを抑制できる。
【００５３】
また、上記実施形態のドライヤによれば、イオン発生器７が、ファン１９よりも第１の空気の流れの上流側に位置しているから、第２の空気の流れが生成されている際、イオン発生器７から生成されたイオンを、ファン１９を経ずに吸込口１６を介して外部に排出することができる。したがって、埃等の異物が溜り易い吸込口付近の清掃を効率的に行うことができる。
【００５４】
また、上記実施形態のドライヤによれば、操作部１７によって空気清浄モードを選択することによって、ファン１９を逆回転駆動し、ヒータ５を非駆動にし、かつ、イオン発生器７を駆動することによって、ドライヤを空気清浄機として機能させることができる。
【００５５】
したがって、例えば、ドライヤが、寝室の鏡台の周辺に設置されている場合に、別途、空気清浄機を購入することなく、睡眠時等に、寝室の空気を清浄することができる。また、例えば、ドライヤが、洗面所等の湿気が多い箇所に配置されている場合には、ドライヤを、髪の乾燥に使用しない期間に、空気清浄機として機能させることができて、洗面所が狭い場合であっても、別途、大きな配置スペースが必要な空気清浄機を配置することがなく、洗面所の雑菌やカビの繁殖を抑制することができる。また、ドライヤが、それ以外の場所に配置されている場合でも、ドライヤを、髪の乾燥に使用しない期間に、ドライヤが配置されている場所の空気の清浄のために使用することができる。
【００５６】
また、上記実施形態のドライヤによれば、ドライヤを、髪の乾燥に使用しない期間に、空気清浄機として機能させることができるから、ドライヤの使用頻度を大きくできて、ドライヤの対費用効果を格段に大きくすることができる。
【００５７】
また、上記実施形態のドライヤによれば、清掃停止モードを選択することによって、ファン１９を停止させる前に、ファン１９を所定時間逆回転させることができる。したがって、簡単に、筺体１内の埃等の異物を清掃することができる。
【００５８】
尚、上記実施形態のドライヤでは、イオン発生器７が、第１の空気の流れにおいて、ファン１９よりも上流側に位置していたが、この発明では、イオン発生器は、第１の空気の流れにおいて、ファンよりも下流側に位置していても良い。この場合、イオン発生器が、ファンよりも第１の空気の流れの下流側に位置しているので、ファンが逆回転して、第２の空気の流れが生成されている際、イオン発生器で発生させたイオンを、ファンに衝突させることができて、ファンの除電を行うことができる。したがって、静電気に基づいてファンに吸着している埃等の異物を、ファンから容易に引き離すことができて、ファンの清掃を効率的に行うことができる。
【００５９】
また、上記実施形態のドライヤでは、ファン１９の回転速度を、複数段階に制御するようになっていたが、この発明では、ファンの回転速度は、一定で、変えることができない構成であっても良い。
【００６０】
また、上記実施形態のドライヤでは、設置部が、載置台であったが、この発明では、設置部は、ヒータ等を覆っている筺体の軸方向の端部や側面部に形成された平面部であっても良い。そして、その平面部を、水平面に当接することにより、水平面に対して、筺体を安定に載置する構成であっても良い。
【００６１】
また、上記実施形態のドライヤでは、イオン発生器７は、プラスイオンと、マイナスイオンとを同時に発生させる構成であったが、この発明では、イオン発生器は、プラスイオンのみを生成する構成であっても良く、また、マイナスイオンのみを生成する構成であっても良い。
【符号の説明】
【００６２】
１  筺体
５  ヒータ
６  送風装置
７  イオン発生器
１５  吹出口
１６  吸込口
１７  操作部
１９  ファン
【図１】
2013111226.tif 000003
【図２】
2013111226.tif 000004
【図３】
2013111226.tif 000005